(57)【要約】  【課題】  リモコンの操作ボタンが多い場合でも、全操作ボタンの機能を覚える必要がなく、リモコンを操作するのが容易になるリモコン補助機能を有するビデオ機器を提供する。  【解決手段】  リモコン補助モードに設定されたとき、リモコンレイアウト画像２１１が表示領域２０２に表示され、リモコンレイアウト画像２１１上のカーソル２００および操作可能な操作ボタンｇ，ｈ，ｉ，ｊがそれぞれ予め定めた色で表示させると共に、カーソル２００で選択された操作ボタンの説明文が表示領域２０３に表示され、また、カーソル２００はリモコンの方向操作ボタンの操作で移動可能になると共に、カーソル２００で選択された操作ボタンはリモコンの決定操作ボタンの押下により決定可能になり、前記選択された操作ボタンに対応する動作が行われる。【選択図】      図３
2006270687.tif 000002
【特許請求の範囲】
【請求項１】
リモコンにより操作可能で、ディスプレイ装置に映像を表示させることが可能な機能を
有するビデオ機器において、リモコンのレイアウトを示すリモコンレイアウト画像データ
、前記ディスプレイ装置に表示されたリモコンレイアウト画像上のカーソルおよび操作可
能な操作ボタンをそれぞれ予め定めた色でハイライト表示させるための色データ、および
カーソルで選択される操作ボタンの説明文データを予めメモリに記憶させておき、前記デ
ィスプレイ装置に表示されたリモコンレイアウト画像に従って前記リモコンを操作するこ
とが可能なリモコン補助モードに設定されたか否かを判定する補助モード判定手段と、前
記補助モード判定手段により前記リモコン補助モードが設定されたと判定されたとき前記
メモリよりリモコンレイアウト画像データを読出して前記ディスプレイ装置にリモコンレ
イアウト画像を表示させるレイアウト画像表示手段と、前記リモコンレイアウト画像上の
カーソルを前記メモリから読み出された色データに基づいて選ばれた第１の色で表示させ
るカーソル表示手段と、前記カーソルを前記リモコンの方向操作ボタンの操作で移動させ
るカーソル移動手段と、前記移動させたカーソルが指示する操作ボタンの説明文を前記メ
モリから読み出された説明文データに基づいて前記ディスプレイ装置に表示させる操作ボ
タン説明文表示手段と、前記カーソルで選択された操作ボタンを前記リモコンの決定操作
ボタンの押下により決定させ、前記選択された操作ボタンに対応する動作を行わせる操作
ボタン対応動作手段と、前記動作中に使用できる操作ボタンを前記メモリから読み出され
た色データに基づいて選ばれた第２の色で表示させる操作ボタン表示手段とを有するシス
テムコントローラを備えたことを特徴とするビデオ機器。
【請求項２】
リモコンにより操作可能で、ディスプレイ装置に映像を表示させることが可能な機能を
有するビデオ機器において、リモコン補助モードに設定されたとき、前記リモコンのレイ
アウトを示すリモコンレイアウト画像をディスプレイ装置に表示させると共に、前記リモ
コンレイアウト画像上のカーソルおよび操作可能な操作ボタンをそれぞれ予め定めた色で
表示させ、また、カーソルで選択された操作ボタンの説明文を表示させ、前記カーソルを
前記リモコンの方向操作ボタンの操作で移動可能にすると共に、前記カーソルで選択され
た操作ボタンを前記リモコンの決定操作ボタンの押下により決定可能にし、前記選択され
た操作ボタンに対応する動作を行わせるシステムコントローラを備えたことを特徴とする
ビデオ機器。
【請求項３】
リモコンのレイアウトを示すリモコンレイアウト画像データ、前記ディスプレイ装置に
表示されたリモコンレイアウト画像上のカーソルおよび操作可能な操作ボタンをそれぞれ
予め定めた色でハイライト表示させるための色データ、およびカーソルで選択する操作ボ
タンの説明文データを予めメモリに記憶させておくことを特徴とする請求項２に記載のビ
デオ機器。
【請求項４】
前記システムコントローラは、ディスプレイ装置に表示されたリモコンレイアウト画像
に従ってリモコンを操作することが可能なリモコン補助モードに設定されたか否かを判定
する補助モード判定手段と、前記補助モード判定手段により前記リモコン補助モードが設
定されたと判定されたときメモリよりリモコンレイアウト画像データを読出して前記ディ
スプレイ装置にリモコンレイアウト画像を表示させるレイアウト画像表示手段と、前記リ
モコンレイアウト画像上のカーソルを前記メモリから読み出された色データに基づいて選
ばれた第１の色で表示させるカーソル表示手段と、前記カーソルを前記リモコンの方向操
作ボタンの操作で移動させるカーソル移動手段と、前記移動させたカーソルが指示する操
作ボタンの説明文を前記メモリから読み出された説明文データに基づいて前記ディスプレ
イ装置に表示させる操作ボタン説明文表示手段と、前記カーソルで選択された操作ボタン
を前記リモコンの決定操作ボタンの押下により決定させ、前記選択された操作ボタンに対
応する動作を行わせる操作ボタン対応動作手段と、前記動作中に使用できる操作ボタンを
前記メモリから読み出された色データに基づいて選ばれた第２の色で表示させる操作ボタ
ン表示手段とを有することを特徴とする請求項２に記載のビデオ機器。
【発明の詳細な説明】
【技術分野】
【０００１】
本発明は、リモコン（リモートコントローラ）により操作可能で、テレビジョン受信機
などのディスプレイ装置に映像を表示させることが可能な機能を有する光ディスク記録再
生装置などのビデオ機器に関する。
【背景技術】
【０００２】
従来から知られているビデオ・カセット・レコーダ（ＶＣＲ）やビデオ・テープ・レコ
ーダ（ＶＴＲ）などの磁気記録再生装置、あるいは近年普及してきているＤＶＤ（デジタ
ル・バーサタイル・ディスク）レコーダなどの光ディスク記録再生装置、あるいはハード
・ディスク・レコーダなどの磁気ディスク記録再生装置などで代表されるビデオ機器は、
例えばテレビジョン受信機に接続され、映像を受信機のディスプレイ装置に表示させ、ま
た、音声を受信機のスピーカから出力させている。
【０００３】
このようなビデオ機器はリモコンで操作されるのが一般的であり、リモコンは、近年、
ビデオ機器が高性能で多機能になったため、それに伴って操作ボタン（操作キー）の個数
も増加する傾向にある。そこで、大体の機能の種類によって、リモコンの操作ボタンの形
状や色を変えて、ユーザにとってリモコンの操作が分り易いようにしている。
【特許文献１】特開平９−３０５３０５号公報
【特許文献２】特開２００１−２３８２７８号公報
【特許文献３】特開２００３−７８７７９号公報
【特許文献４】特開２００４−２７４６００号公報
【発明の開示】
【発明が解決しようとする課題】
【０００４】
しかしながら、このようなリモコンは、確かに操作ボタンの形状や色を変えることによ
って、ユーザに分り易くなっているが、操作ボタンの個数が多いと、全操作ボタンの機能
を覚えたり、操作したりするのが困難であると言う課題があった。
【０００５】
なお、特許文献１の従来技術では、画像表示装置の画面にはメニュー画面が通常の画面
上に映出されており、ユーザはメニュー画面を見ながらポインティングデバイスによって
選択したアイコン上でリモコンの決定スイッチを押すと、アイコン化された機能を実行す
る命令をリモコンより画像表示装置に送出し、また、画像表示装置に表示されたメニュー
をリモコンにより選択することにより、次の操作メニュー一覧を表示するようにしている
ので、リモコンのスイッチ（操作ボタン）の個数を減らすことはできるが、リモコンの操
作ボタンが多い場合、全操作ボタンの機能を覚えたり、操作したりするのが困難になるこ
とに対する対策は施されていない。
【０００６】
特許文献２の従来技術は、表示されたメニューから外部機器に要求する遠隔制御方法で
あって、制御部は、カーソルがユーザの操作により他の位置に移動すると、その新しいメ
ニュー項目をハイライト表示させている。また、カーソルの位置が特定メニュー項目に位
置された状態でメニュー項目を選択する選択キーが入力されると、制御部はユーザが選択
した特定項目を確認するようになっている。しかしながら、この従来技術も、リモコンの
操作ボタンが多い場合、全操作ボタンの機能を覚えたり、操作したりするのが困難になる
ことに対する対策は施されていない。
【０００７】
特許文献３の従来技術では、マルチリモコンは、テレビを遠隔操作できると共に、操作
ボタン部の所定の操作により、表示部にＡＶ機器の機器名を順次切り替えて表示させ、所
望の接続機器を操作対象として選択するようになっている。そして、操作ボタン部のメニ
ューボタンを操作すると、ＴＶ画面に、操作対象機器の操作メニューを表示させるように
なっている。しかしながら、この従来技術も、リモコンの操作ボタンが多い場合、全操作
ボタンの機能を覚えたり、操作したりするのが困難になることに対する対策は施されてい
ない。
【０００８】
特許文献４の従来技術では、各メニュー画面のボタンに先の画面に進む進みボタン、前
の画面に戻る戻りボタンをリモコンに設けている。例えば、ページＡの画面でリモコンの
送り方向スイッチボタンを押すと、「次へ」ボタンがハイライト表示されてコマンドが実
行され、画面は直ちに別のページＢへ飛ぶ。これによって、カーソルボタンと決定ボタン
の操作を不要としている。しかしながら、この従来技術も、リモコンの操作ボタンが多い
場合、全操作ボタンの機能を覚えたり、操作したりするのが困難になることに対する対策
は施されていない。
【０００９】
本発明は、上記のような課題を解決するためになされたもので、リモコンの操作ボタン
が多い場合でも、全操作ボタンの機能を覚える必要がなく、リモコンを操作するのが容易
になるリモコン補助機能を有するビデオ機器を提供することを目的とする。
【課題を解決するための手段】
【００１０】
上記目的を達成するために、請求項１の発明は、リモコンのレイアウトを示すリモコン
レイアウト画像データ、ディスプレイ装置に表示されたリモコンレイアウト画像上のカー
ソルおよび操作可能な操作ボタンをそれぞれ予め定めた色でハイライト表示させるための
色データ、およびカーソルで選択する操作ボタンの説明文データを予めメモリに記憶させ
ておき、前記ディスプレイ装置に表示されたリモコンレイアウト画像に従って前記リモコ
ンを操作することが可能なリモコン補助モードに設定されたか否かを判定する補助モード
判定手段と、前記補助モード判定手段により前記リモコン補助モードが設定されたと判定
されたとき前記メモリよりリモコンレイアウト画像データを読出して前記ディスプレイ装
置にリモコンレイアウト画像を表示させるレイアウト画像表示手段と、前記リモコンレイ
アウト画像上のカーソルを前記メモリから読み出された色データに基づいて選ばれた第１
の色で表示させるカーソル表示手段と、前記カーソルを前記リモコンの方向操作ボタンの
操作で移動させるカーソル移動手段と、前記移動させたカーソルが指示する操作ボタンの
説明文を前記メモリから読み出された説明文データに基づいて前記ディスプレイ装置に表
示させる操作ボタン説明文表示手段と、前記カーソルで選択された操作ボタンを前記リモ
コンの決定操作ボタンの押下により決定させ、前記選択された操作ボタンに対応する動作
を行わせる操作ボタン対応動作手段と、前記動作中に使用できる操作ボタンを前記メモリ
から読み出された色データに基づいて選ばれた第２の色で表示させる操作ボタン表示手段
とを有するシステムコントローラを備えたことを特徴とするビデオ機器を提供する。
【００１１】
この構成において、リモコンレイアウト画像をディスプレイ装置に表示させたい場合、
リモコン補助モードに設定するため、リモコンのリモコン補助モード操作ボタンが押され
ると、補助モード判定手段は、リモコン補助モードに設定されたと判定し、この判定によ
り、レイアウト画像表示手段は、メモリよりリモコンレイアウト画像データを読み出し、
このデータに基づいてリモコンレイアウト画像をディスプレイ装置に表示する。
【００１２】
この場合のカーソルの初期位置が、リモコンレイアウト画像の例えば決定操作ボタン上
に有った場合、この決定操作ボタンは例えば黄色（第１の色）で表示される。この黄色の
表示は、カーソル表示手段が、メモリから黄色の色データを読み出し、この色データに基
づいて行われる。また、この場合、決定操作ボタン上にカーソルが有るので、決定操作ボ
タンについての説明文が表示される。この説明文の表示は、操作ボタン説明文表示手段が
、メモリから決定操作ボタンに対応する説明文データを読み出し、この説明文データに基
づいて行われる。
【００１３】
ここで、ユーザが、例えば、再生モードに設定したい場合、リモコンレイアウト画像の
操作ボタン上のカーソルをリモコンの方向操作ボタンを用いて動かす。即ち、リモコンの
方向操作ボタンを動かすと、カーソル移動手段は、それに応答して、リモコンレイアウト
画像の操作ボタン上のカーソルを上下左右方向に移動させる。そして、再生操作ボタンの
説明文を、操作ボタン説明文表示手段の処理により表示させる。
【００１４】
そして、次に前記再生操作ボタンを決定するため、リモコンの決定操作ボタンが押され
ると、操作ボタン対応動作手段の処理により、光ディスクに記録されている映像が再生さ
れることになる。前記映像を再生している時は、再生中に使用できる操作ボタンを例えば
赤くハイライト表示させる。即ち、操作ボタン表示手段は、再生中に使用できる操作ボタ
ンを、メモリから読み出された赤色（第２の色）の色データに基づいて、再生中に使用で
きる操作ボタンを赤色にハイライト表示させる。
【００１５】
この構成によれば、ディスプレイ装置にリモコンレイアウト画像を表示し、ユーザが行
おうとしている操作に対し、そのリモコンレイアウト画像の操作ボタンを、リモコンの上
下左右の方向操作ボタンと決定操作ボタンとを用いて選択できるようになり、これにより
、リモコン側で使用する操作ボタンの個数が少なくなり、また、リモコンの操作方法をリ
モコンレイアウト画像上でユーザに促すことができることによって、リモコンの操作ボタ
ンが多い場合でも、全操作ボタンの機能を覚えたりする必要がなく、画面を見ながらリモ
コン操作を楽に行うことができる。
【００１６】
請求項２の発明は、リモコン補助モードに設定されたとき、リモコンのレイアウトを示
すリモコンレイアウト画像をディスプレイ装置に表示させると共に、前記リモコンレイア
ウト画像上のカーソルおよび操作可能な操作ボタンをそれぞれ予め定めた色で表示させ、
また、カーソルで選択された操作ボタンの説明文を表示させ、前記カーソルを前記リモコ
ンの方向操作ボタンの操作で移動可能にすると共に、前記カーソルで選択された操作ボタ
ンを前記リモコンの決定操作ボタンの押下により決定可能にし、前記選択された操作ボタ
ンに対応する動作を行わせるシステムコントローラを備えたことを特徴とするビデオ機器
を提供する。
【００１７】
この構成において、リモコン補助モードに設定されたとき、リモコンレイアウト画像が
ディスプレイ装置に表示され、前記リモコンレイアウト画像上のカーソルおよび操作可能
な操作ボタンがそれぞれ予め定めた色で表示させると共に、カーソルで選択された操作ボ
タンの説明文が表示され、また、前記カーソルはリモコンの方向操作ボタンの操作で移動
可能になると共に、前記カーソルで選択された操作ボタンは前記リモコンの決定操作ボタ
ンの押下により決定可能になり、前記選択された操作ボタンに対応する動作が行われる。
【００１８】
この構成によれば、ディスプレイ装置にリモコンレイアウト画像を表示し、ユーザが行
おうとしている操作に対し、そのリモコンレイアウト画像の操作ボタンを、リモコンの上
下左右の方向操作ボタンと決定操作ボタンとを用いて選択できるようになり、これにより
、リモコン側で使用する操作ボタンの個数が少なくなり、また、リモコンの操作方法をリ
モコンレイアウト画像上でユーザに促すことができることによって、リモコンの操作ボタ
ンが多い場合でも、全操作ボタンの機能を覚えたりする必要がなく、画面を見ながらリモ
コン操作を楽に行うことができる。
【００１９】
請求項３の発明では、請求項２の発明において、リモコンのレイアウトを示すリモコン
レイアウト画像データ、ディスプレイ装置に表示されたリモコンレイアウト画像上のカー
ソルおよび操作可能な操作ボタンをそれぞれ予め定めた色でハイライト表示させるための
色データ、およびカーソルで選択する操作ボタンの説明文データを予めメモリに記憶させ
ておくので、リモコンレイアウト画像の表示、リモコンレイアウト画像上のカーソルおよ
び操作可能な操作ボタンのそれぞれの予め定めた色のハイライト表示、およびカーソルで
選択された操作ボタンの説明文の表示が可能になる。
【００２０】
請求項４の発明では、請求項２の発明において、システムコントローラは、ディスプレ
イ装置に表示されたリモコンレイアウト画像に従ってリモコンを操作することが可能なリ
モコン補助モードに設定されたか否かを判定する補助モード判定手段と、前記補助モード
判定手段により前記リモコン補助モードが設定されたと判定されたときメモリよりリモコ
ンレイアウト画像データを読出して前記ディスプレイ装置にリモコンレイアウト画像を表
示させるレイアウト画像表示手段と、前記リモコンレイアウト画像上のカーソルを前記メ
モリから読み出された色データに基づいて選ばれた第１の色で表示させるカーソル表示手
段と、前記カーソルを前記リモコンの方向操作ボタンの操作で移動させるカーソル移動手
段と、前記移動させたカーソルが指示する操作ボタンの説明文を前記メモリから読み出さ
れた説明文データに基づいて前記ディスプレイ装置に表示させる操作ボタン説明文表示手
段と、前記カーソルで選択された操作ボタンを前記リモコンの決定操作ボタンの押下によ
り決定させ、前記選択された操作ボタンに対応する動作を行わせる操作ボタン対応動作手
段と、前記動作中に使用できる操作ボタンを前記メモリから読み出された色データに基づ
いて選ばれた第２の色で表示させる操作ボタン表示手段とを有する。
【００２１】
したがって、システムコントローラでは、補助モード判定処理、レイアウト画像表示処
理、カーソル表示処理、カーソル移動処理、操作ボタン説明文表示処理、操作ボタン対応
動作処理、および操作ボタン表示処理が実現でき、これにより、ディスプレイ装置にリモ
コンレイアウト画像を表示でき、また、リモコンレイアウト画像の操作ボタンを、リモコ
ンの上下左右の方向操作ボタンと決定操作ボタンとを用いて選択できるようになる。また
、リモコンの操作方法をリモコンレイアウト画像上に表示させることができるようになる
。
【発明の効果】
【００２２】
以上のように本発明によれば、リモコンのレイアウトを示すリモコンレイアウト画像デ
ータ、ディスプレイ装置に表示されたリモコンレイアウト画像上のカーソルおよび操作可
能な操作ボタンをそれぞれ予め定めた色でハイライト表示させるための色データ、および
カーソルで選択する操作ボタンの説明文データを予めメモリに記憶させておき、前記ディ
スプレイ装置に表示されたリモコンレイアウト画像に従って前記リモコンを操作すること
が可能なリモコン補助モードに設定されたか否かを判定する補助モード判定手段と、前記
補助モード判定手段により前記リモコン補助モードが設定されたと判定されたとき前記メ
モリよりリモコンレイアウト画像データを読出して前記ディスプレイ装置にリモコンレイ
アウト画像を表示させるレイアウト画像表示手段と、前記リモコンレイアウト画像上のカ
ーソルを前記メモリから読み出された色データに基づいて選ばれた第１の色で表示させる
カーソル表示手段と、前記カーソルを前記リモコンの方向操作ボタンの操作で移動させる
カーソル移動手段と、前記移動させたカーソルが指示する操作ボタンの説明文を前記メモ
リから読み出された説明文データに基づいて前記ディスプレイ装置に表示させる操作ボタ
ン説明文表示手段と、前記カーソルで選択された操作ボタンを前記リモコンの決定操作ボ
タンの押下により決定させ、前記選択された操作ボタンに対応する動作を行わせる操作ボ
タン対応動作手段と、前記動作中に使用できる操作ボタンを前記メモリから読み出された
色データに基づいて選ばれた第２の色で表示させる操作ボタン表示手段とを有するシステ
ムコントローラを備えたので、ディスプレイ装置にリモコンレイアウト画像を表示し、ユ
ーザが行おうとしている操作に対し、そのリモコンレイアウト画像の操作ボタンを、リモ
コンの上下左右の方向操作ボタンと決定操作ボタンとを用いて選択できるようになり、こ
れにより、リモコン側で使用する操作ボタンの個数が少なくなり、また、リモコンの操作
方法をリモコンレイアウト画像上でユーザに促すことができることによって、リモコンの
操作ボタンが多い場合でも、全操作ボタンの機能を覚えたりする必要がなく、画面を見な
がらリモコン操作を楽に行うことができる。
【００２３】
また、本発明によれば、リモコン補助モードに設定されたとき、リモコンのレイアウト
を示すリモコンレイアウト画像をディスプレイ装置に表示させると共に、前記リモコンレ
イアウト画像上のカーソルおよび操作可能な操作ボタンをそれぞれ予め定めた色で表示さ
せ、また、カーソルで選択された操作ボタンの説明文を表示させ、前記カーソルを前記リ
モコンの方向操作ボタンの操作で移動可能にすると共に、前記カーソルで選択された操作
ボタンを前記リモコンの決定操作ボタンの押下により決定可能にし、前記選択された操作
ボタンに対応する動作を行わせるシステムコントローラを備えたので、ディスプレイ装置
にリモコンレイアウト画像を表示し、ユーザが行おうとしている操作に対し、そのリモコ
ンレイアウト画像の操作ボタンを、リモコンの上下左右の方向操作ボタンと決定操作ボタ
ンとを用いて選択できるようになり、これにより、リモコン側で使用する操作ボタンの個
数が少なくなり、また、リモコンの操作方法をリモコンレイアウト画像上でユーザに促す
ことができることによって、リモコンの操作ボタンが多い場合でも、全操作ボタンの機能
を覚えたりする必要がなく、画面を見ながらリモコン操作を楽に行うことができる。
【発明を実施するための最良の形態】
【００２４】
以下、添付図面を参照しつつ、本発明の実施の形態について説明する。図１は本発明の
一実施形態に係るビデオ機器としての光ディスク記録再生装置の構成を示すブロック図で
ある。ここでは、記録／再生を行うＤＶＤ（デジタル・バーサタイル・ディスク）レコー
ダなどの光ディスク記録再生装置について説明するが、再生のみを行うＤＶＤプレイヤな
どの光ディスク再生装置、あるいは、ビデオ・カセット・レコーダ（ＶＣＲ）やビデオ・
テープ・レコーダ（ＶＴＲ）などの磁気記録再生装置、あるいはハード・ディスク・レコ
ーダなどに対しても、ここで言うリモコン補助モードを採用すれば、同様な効果が得られ
るのは言うまでもない。
【００２５】
この光ディスク記録再生装置は、光ディスク１を回転させるスピンドルモータ５と、光
ディスク１に対して情報の書き込み／読み出しを光学的に行う光ピックアップ２と、この
光ピックアップ２を光ディスク１の半径方向に移動させるためのスレッド３と、システム
コントローラ２２の指示に応じてスピンドルモータ５およびスレッド３を駆動すると共に
光ピックアップ２に内蔵された対物レンズ（図示せず）を動かすことによりレーザ光の焦
点位置を光ディスク１の記録面に対して垂直方向および水平方向に移動させる制御を行う
サーボ制御部４とを備えている。
【００２６】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２７】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００２８】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００２９】
また、この光ディスク記録再生装置は、システムコントローラ２２に対して、記録指示
を与えるための記録操作ボタン（記録キー）、再生指示を与えるための再生操作ボタン（
再生キー）、記録や再生の停止指示を与えるための停止操作ボタン（停止キー）など、各
種操作ボタンを有するリモコン２１と、装置全体を制御する前記システムコントローラ２
２とを備えている。また、この光ディスク記録再生装置は、装置の各構成要素を制御した
り、装置全体を制御したりするためのプログラムやデータが記憶されたフラッシュＲＯＭ
２３と、このフラッシュＲＯＭ２３のプログラムやデータに従って演算処理を行いシステ
ムコントローラ２２を制御するＣＰＵ２４と、このＣＰＵ２４の演算処理に必要なデータ
を一時的に格納するＲＡＭ２７とを備えている。
【００３０】
また、フラッシュＲＯＭ２３には、装置全体を制御したりするためのプログラムやデー
タ以外に、リモコン２１のレイアウトを示すリモコンレイアウト画像データ、ディスプレ
イ装置２０に表示されたリモコンレイアウト画像上のカーソルおよび操作可能な操作ボタ
ンをそれぞれ予め定めた色でハイライト表示させるための色データ、およびカーソルで選
択する操作ボタンの説明文データが予め記憶されている。
【００３１】
また、この光ディスク記録再生装置は、図示しないテレビジョン受信機やパーソナルコ
ンピュータなどから送られてきた映像音声データを光ディスク１に記録するために変調を
かける記録データ変調回路２５と、この記録データ変調回路２５により変調された変調デ
ータに基づいて光ピックアップ２から出射するレーザ光を変調させるためのレーザ変調信
号を光ピックアップ２に出力するレーザ変調回路２６とを備えている。
【００３２】
システムコントローラ２２は、本実施形態の特徴とする構成要素として、ディスプレイ
装置２０に表示されたリモコンレイアウト画像に従ってリモコン２１を操作することが可
能なリモコン補助モードに設定されたか否かを判定する補助モード判定手段２２１と、こ
の補助モード判定手段２２１により前記リモコン補助モードが設定されたと判定されたと
きフラッシュＲＯＭ２３よりリモコンレイアウト画像データを読出してディスプレイ装置
２０にリモコンレイアウト画像を表示させるレイアウト画像表示手段２２２と、前記リモ
コンレイアウト画像上のカーソルをフラッシュＲＯＭ２３から読み出された色データに基
づいて選ばれた第１の色で表示させるカーソル表示手段２２３とを有する。
【００３３】
また、システムコントローラ２２は、前記カーソルをリモコン２１の方向操作ボタンの
操作で移動させるカーソル移動手段２２４と、前記移動させたカーソルが指示する操作ボ
タンの説明文をフラッシュＲＯＭ２３から読み出された説明文データに基づいてディスプ
レイ装置２０に表示させる操作ボタン説明文表示手段２２５と、前記カーソルで選択され
た操作ボタンをリモコン２１の決定操作ボタンの押下により決定させ、前記選択された操
作ボタンに対応する動作を行わせる操作ボタン対応動作手段２２６と、前記動作中に使用
できる操作ボタンをフラッシュＲＯＭ２３から読み出された色データに基づいて選ばれた
第２の色で表示させる操作ボタン表示手段２２７とを有する。
【００３４】
図２は本実施形態においてリモコン２１の操作ボタンの配置を簡略化して示した構成図
である。図２において、リモコン２１は、上方向操作ボタン（上方向キー）ａ、下方向操
作ボタン（下方向キー）ｂ、左方向操作ボタン（左方向キー）ｃ、右方向操作ボタン（右
方向キー）ｄ、決定操作ボタン（決定キー）ｅ、再生操作ボタン（再生キー）ｆ、リピー
ト操作ボタン（リピートキー）ｇ、その他複数の操作ボタンを有する。
【００３５】
図３は本実施形態においてディスプレイ装置２０にリモコンレイアウト画像が表示され
ている様子を示す表示画面図である。図３（１）〜（６）において、２０１はディスプレ
イ装置２０に表示される通常画面を縮小した表示領域を示し、２０２はリモコン２１のレ
イアウト画像が表示される表示領域を示す。また、２０３は操作ボタンの説明文が表示さ
れる表示領域を示す。また、２１１は表示領域２０２に表示されたリモコンレイアウト画
像を示す。
【００３６】
図４は本実施形態においてリモコン補助モードに設定された場合の処理を説明するため
のフローチャートである。このフローチャートを参照してリモコン補助モードに設定され
た場合の処理について説明する。
【００３７】
先ず、リモコン２１の電源操作ボタンＰＷ（図２参照）がオンされ、この光ディスク記
録再生装置を操作するのに、リモコン２１のリモコンレイアウト画像２１１（図３参照）
をディスプレイ装置２０に表示させたい場合、リモコン補助モードに設定するため、リモ
コン２１のリモコン補助モード操作ボタンを押す。このリモコン補助モード操作ボタンは
、リモコン２１に予め専用の操作ボタンとして設けても良く、あるいはリモコン２１の何
れかの操作ボタンを電源操作ボタンＰＷを押した後にリモコン補助モード操作ボタンとし
て働かすようにしても良い。
【００３８】
このようなリモコン補助モード操作ボタンが押されると（ステップＳ２）、システムコ
ントローラ２２の補助モード判定手段２２１は、リモコン補助モードに設定されたと判定
し、この判定により、レイアウト画像表示手段２２２は、フラッシュＲＯＭ２３よりリモ
コンレイアウト画像データを読み出し、このデータに基づいてリモコンレイアウト画像を
ディスプレイ装置２０の画面に表示する（ステップＳ３）。例えば、図３（１）に示すよ
うに、表示領域２０２にリモコンレイアウト画像２１１を表示する。
【００３９】
この場合のカーソルの初期位置は、リモコンレイアウト画像２１１の決定操作ボタンｅ
上に有り、この決定操作ボタンｅは例えば黄色で表示される。この黄色の表示は、システ
ムコントローラ２２のカーソル表示手段２２３が、フラッシュＲＯＭ２３から黄色の色デ
ータを読み出し、この色データに基づいて行われる。また、この場合、決定操作ボタンｅ
上にカーソル２００が有るので、表示領域２０３には、「操作ボタンを決定します」と言
う決定操作ボタンｅについての説明文が表示される。この説明文の表示は、操作ボタン説
明文表示手段２２５が、フラッシュＲＯＭ２３から決定操作ボタンｅに対応する説明文デ
ータを読み出し、この説明文データに基づいて行われる。
【００４０】
ここで、ユーザが光ディスク記録再生装置を再生モードに設定したい場合、リモコンレ
イアウト画像２１１の操作ボタン（ここでは決定操作ボタンｅ）上のカーソル２００をリ
モコン２１の上下左右方向操作ボタンａ，ｂ，ｃ，ｄを用いて動かす（ステップＳ４）。
即ち、リモコン２１の上下左右方向操作ボタンａ，ｂ，ｃ，ｄを動かすと、カーソル移動
手段２２４は、それに応答して、リモコンレイアウト画像２１１の操作ボタン上のカーソ
ル２００を上下左右方向に移動させる。
【００４１】
ここでは、カーソル２００を図３（２）に示すようにリモコンレイアウト画像２１１の
再生操作ボタンｆへ移動させる（ステップＳ５）。そして、再生操作ボタンｆの説明文を
、操作ボタン説明文表示手段２２５の処理により図３（２）に示すように表示領域２０３
に例えば「ディスクを再生します」と表示する（ステップＳ６）。なお、使用不可の操作
ボタンは、禁止マークが出る操作ボタンであり、色表示されていなく、選択できないよう
になっている。
【００４２】
そして、次に前記再生操作ボタンｆを決定するため、リモコン２１の決定操作ボタンｅ
（図２参照）を押すと（ステップＳ７）、図３（３）に示すような表示画面になる。なお
、図３（３）の表示画面は、図３（２）の表示画面とは見た目は同じであるが、再生動作
が開始している状態を示す。即ち、光ディスク記録再生装置は、リモコン２１の決定操作
ボタンｅが押され、操作ボタン対応動作手段２２６の処理により、光ディスク１に記録さ
れている映像を再生することになる（ステップＳ８）。
【００４３】
前記映像を再生している時は、再生中に使用できる操作ボタンを赤くハイライト表示さ
せる（ステップＳ９）。即ち、操作ボタン表示手段２２７は、再生中に使用できる操作ボ
タンを、フラッシュＲＯＭ２３から読み出された赤色の色データに基づいて、再生中に使
用できる操作ボタンを赤色にハイライト表示させる。この場合、図３（４）に示すように
、操作ボタンｇ，ｈ，ｉ，ｊが赤色にハイライト表示される。
【００４４】
再生中に使用できる操作ボタンとは、例えば、リピート操作ボタン、早送り操作ボタン
、早戻し操作ボタン、停止操作ボタンなどがあり、リピート操作ボタンがリモコンレイア
ウト画像２１１中のｇで示される操作ボタンであるとすると、このリピート操作ボタンｇ
が赤色でハイライト表示され、リピート再生したい場合には、リモコンレイアウト画像２
１１の操作ボタン（ここでは再生操作ボタンｆ）上のカーソル２００をリモコン２１の上
下左右方向操作ボタンａ，ｂ，ｃ，ｄを用いて動かす（ステップＳ１０）。赤色でハイラ
イト表示されたリピート操作ボタンｇにカーソル２００を移動させると（ステップＳ１１
）、図３（５）に示すように、リピート操作ボタンｇの部分が黄色に表示される。なお、
使用不可の操作ボタンは、禁止マークが出る操作ボタンであり、色表示されてなく、選択
できないようになっている。
【００４５】
そして、リピート操作ボタンｇの説明文を、操作ボタン説明文表示手段２２５の処理に
より図３（５）に示すように表示領域２０３に例えば「リピート再生します」と表示する
（ステップＳ１２）。そして、次に前記リピート操作ボタンｇを決定するため、リモコン
２１の決定操作ボタンｅ（図２参照）を押すと（ステップＳ１４）、図３（６）に示すよ
うな表示画面になる。なお、図３（６）の表示画面は、図３（３）の表示画面とは見た目
は同じであるが、リピート再生動作が開始している状態を示している。即ち、光ディスク
記録再生装置は、リモコン２１の決定操作ボタンｅが押され、操作ボタン対応動作手段２
２６の処理により、光ディスク１に記録されている映像をリピート再生することになる（
ステップＳ１５）。
【００４６】
ステップＳ２において、リモコン２１の補助モード操作ボタンが押されず、ステップＳ
１３において、リモコン２１の再生操作ボタンを押された場合は、ステップＳ８に移り、
同様な処理が行われる。
【００４７】
なお、このフローチャートの説明では、再生処理とリピート再生処理について述べたが
、これに限らず、記録処理や編集処理などについても、リモコン補助モードを適用できる
ことは言うまでもない。
【００４８】
以上説明したように本実施形態によれば、ディスプレイ装置にリモコンレイアウト画像
を表示し、ユーザが行おうとしている操作に対し、そのリモコンレイアウト画像の操作ボ
タンを、リモコンの上下左右の方向操作ボタンと決定操作ボタンとを用いて選択できるよ
うになり、これにより、リモコン側で使用する操作ボタンの個数が少なくなり、また、リ
モコンの操作方法をリモコンレイアウト画像上でユーザに促すことができることによって
、リモコンの操作ボタンが多い場合でも、全操作ボタンの機能を覚えたりする必要がなく
、画面を見ながらリモコン操作を楽に行うことができる。
【図面の簡単な説明】
【００４９】
【図１】本発明の一実施形態に係るビデオ機器としての光ディスク記録再生装置の構成を示すブロック図である。
【図２】前記実施形態においてリモコンの操作ボタンの配置を簡略化して示した構成図である。
【図３】前記実施形態においてディスプレイ装置にリモコンレイアウト画像が表示されている様子を示す表示画面図である。
【図４】前記実施形態においてリモコン補助モードに設定された場合の処理を説明するためのフローチャートである。
【符号の説明】
【００５０】
２０    ディスプレイ装置
２１    リモコン
２２    システムコントローラ
２３    フラッシュＲＯＭ（メモリ）
２００    カーソル
２１１    リモコンレイアウト画像
２２１    補助モード判定手段
２２２    レイアウト画像表示手段
２２３    カーソル表示手段
２２４    カーソル移動手段
２２５    操作ボタン説明文表示手段
２２６    操作ボタン対応動作手段
２２７    操作ボタン表示手段
ａ，ｂ，ｃ，ｄ    上下左右方向操作ボタン
ｅ    決定操作ボタン
【図１】
2006270687.tif 000003
【図２】
2006270687.tif 000004
【図３】
2006270687.tif 000005
【図４】
2006270687.tif 000006